(57)【特許請求の範囲】
【請求項１】
後部上面に下方に向けて穴部または溝部を設けた便器本体と、
前記穴部または溝部に嵌合可能であって機能部を収納した突出部を設けたベース部とを備え、
前記穴部または溝部が複数形成され、
該穴部または溝部に嵌合する前記突出部が複数形成されていることを特徴とする水洗式便器。
【請求項２】
後部上面に下方に向けて凹部が形成され、該凹部にさらに下方に向けて穴部または溝部が形成された便器本体と、
前記穴部または溝部に嵌合可能であって機能部を収納した突出部を設けたベース部とを備えていることを特徴とする水洗式便器。
【請求項３】
前記便器本体に設けた受け部または係合部と、
前記ベース部に設けた係合部または受け部とを備え、
前記ベース部を下方向に押すことで前記受け部と係合部を係合させて前記ベース部を便器本体に固定している請求項１または２に記載された水洗式便器。
【請求項４】
後部上面に下方に向けて穴部または溝部を設けた便器本体と、
前記穴部または溝部に嵌合可能であって機能部を収納した突出部を設けたベース部とを備え、
前記便器本体に設けた受け部または係合部と、
前記ベース部に設けた係合部または受け部とを備え、
前記ベース部を下方向に押すことで前記受け部と係合部を係合させて前記ベース部を便器本体に固定していることを特徴とする水洗式便器。
【請求項５】
前記便器本体に第一の受け部を設け、前記ベース部に前記第一の受け部に係合する第一の係合部を設けており、
前記便器本体に第二の受け部を設け、前記ベース部に弾性部材の付勢力で前記第二の受け部に係合する第二の係合部を設けている請求項３または４に記載された水洗式便器。
【請求項６】
互いに係合可能な前記受け部と係合部は平面視で前記便器本体とベース部の略三角形の頂点をなす３カ所にそれぞれ設置した請求項３から５のいずれか１項に記載された水洗式便器。
【請求項７】
前記便器本体に形成した凹部に前記受け部を設けた請求項３から６のいずれか１項に記載された水洗式便器。
【請求項８】
前記便器本体の後部に設けた前記受け部の下方に便鉢内に水を流入させる通水部を設けた請求項３から７のいずれか１項に記載された水洗式便器。
【請求項９】
前記便器本体に固定したベース部を覆うカバーを設けており、前記カバーは前記便器本体の後方の側面が略円筒状に形成されている請求項１から８のいずれか１項に記載された水洗式便器。
【請求項１０】
前記ベース部の前側先端部がカバーの側部で覆われており、前記カバーの側部に便座の回転軸部が支持されており、前記便器本体と前記ベース部の前側先端部と前記便座の回転軸部近傍の傾斜部との間に形成された隙間に前記カバーの側部先端が延びて前記隙間を覆っている請求項１から９のいずれか１項に記載された水洗式便器。
【発明の詳細な説明】
【技術分野】
【０００１】
本発明は、便器本体の後側上面に機能部を装着したベース部を固定した水洗式便器に関する。
【背景技術】
【０００２】
従来、水洗式便器として、例えば特許文献１に記載のように便鉢を設けた便器本体の後側上面に固定プレートをボルトとナットで固定したものが知られている。固定プレートを便器本体に固定する際、便器本体の上面から固定プレートの孔部と便器本体のネジ穴にボルトを貫通して便器本体の下面に突出させてナットで締め付け固定していた。
【０００３】
そして、固定プレート上で便器本体の前方から機能部や便座を含む便座ボックスを後方にスライドさせて、便座ボックスの下面に形成した凹所を固定プレートに嵌合させ、凹所の両側部の係合凹部を固定プレートの両側部に設けた凸条と係合させて固定している。便座ボックスは便器本体の平坦な上面に固定した固定プレート上に設置されている。便座ボックスは陶器製の便器本体の凹凸や傾きの影響を受け易いため固定プレートと機能部の凹所の間にクリヤランスを設けている。
【先行技術文献】
【特許文献】
【０００４】
【特許文献１】特開２００９−７７９２８号公報
【発明の概要】
【発明が解決しようとする課題】
【０００５】
しかしながら、固定プレートを便器本体の上面にボルトとナットで固定する場合、便器を設置するトイレ空間が狭いと便器を下から覗き込むような姿勢で便器本体の上面に挿通したボルトにナットを締め込むため、組み付けの施工性が悪かった。
また、機能部を内蔵した便座ボックスは平坦な便器本体と固定プレートの上部に設置するため便座ボックスの高さが大きくなり、使用者に圧迫感を与えるおそれがあった。
【０００６】
本発明は、このような課題に鑑みてなされたものであって、組み立て性が良く高さを低く抑えてコンパクトに形成できる水洗式便器を提供することを目的とする。
【課題を解決するための手段】
【０００７】
本発明による水洗式便器は、後部上面に下方に向けて穴部または溝部を設けた便器本体と、穴部または溝部に嵌合可能であって機能部を収納した突出部を設けたベース部とを備え、前記穴部または溝部が複数形成され、該穴部または溝部に嵌合する前記突出部が複数形成されていることを特徴とする。
本発明によれば、便器本体の穴部または溝部に嵌合するベース部の突出部の内部に機能部の一部または全部が収納されているため、ベース部の上面に設置される機能部等の高さを低く設定できて圧迫感がなくコンパクトに形成できる。
また、本発明による水洗式便器は、後部上面に下方に向けて凹部が形成され、該凹部にさらに下方に向けて穴部または溝部が形成された便器本体と、前記穴部または溝部に嵌合可能であって機能部を収納した突出部を設けたベース部とを備えていることを特徴とする。
【０００８】
また、便器本体に設けた受け部または係合部と、ベース部に設けた係合部または受け部とを備え、ベース部を下方向に押すことで受け部と係合部を係合させてベース部を便器本体に固定していることが好ましい。
本発明では、ベース部を下方に押し込むことで便器本体の穴部または溝部に機能部を収納した突出部を嵌合させることに連動して、便器本体に設けた受け部または係合部にベース部に設けた係合部または受け部を係合させて固定することができる。
さらに、本発明による水洗式便器は、後部上面に下方に向けて穴部または溝部を設けた便器本体と、前記穴部または溝部に嵌合可能であって機能部を収納した突出部を設けたベース部とを備え、前記便器本体に設けた受け部または係合部と、前記ベース部に設けた係合部または受け部とを備え、前記ベース部を下方向に押すことで前記受け部と係合部を係合させて前記ベース部を便器本体に固定していることを特徴とする。
【０００９】
また、便器本体に第一の受け部を設け、ベース部に第一の受け部に係合する第一の係合部を設けており、便器本体に第二の受け部を設け、ベース部に弾性部材の付勢力で第二の受け部に係合する第二の係合部を設けていてもよい。
本発明では、ベース部を降下させることで、便器本体に設けた第一の受け部にベース部に設けた第一の係合部を係合させ、更に第二の受け部に第二の係合部を上側から押圧して弾性部材の付勢力で第二の係合部を進退させて第二の受け部の下側で互いに係合させることができる。
【００１０】
互いに係合可能な受け部と係合部は平面視で便器本体とベース部の略三角形の頂点をなす３カ所にそれぞれ設置することが好ましい。
便器本体とベース部において少なくとも略三角形の頂点をなす３カ所に受け部と係合部をそれぞれ設けたことで互いに係合させて堅固に固定できる。
【００１１】
また、便器本体に形成した凹部に受け部を設けてもよい。
便器本体の凹部内に受け部を設けることで、ベース部の固定位置を便器本体の凹部内に設定できるため、製品の高さを低く設定できる。
【００１２】
また、便器本体の後部に設けた受け部の下方に便鉢内に水を流入させる通水部を設けてもよい。
便器本体における受け部の下方に通水部を設けたため、便器本体の高さを抑えてコンパクトに形成できる。
【００１３】
また、便器本体に固定したベース部を覆うカバーを設けており、カバーは便器本体の後方の側面が略円筒状に形成されていてもよい。
カバーで機能部を設置したベース部を覆うと共にカバーの後方の側面を略円筒状に形成したため、水洗式便器の意匠性が向上する。
【００１４】
また、ベース部の前側先端部がカバーの側部で覆われ、カバーの側部に便座の回転軸部が支持されており、便器本体とベース部の前側先端部と便座の回転軸部近傍の傾斜部との間に形成された隙間にカバーの側部先端が延びて隙間を覆っていることが好ましい。
本発明によれば、カバーの側部先端がベース部の前側先端部の更に前方に延びることで便器本体とベース部の前側先端部と便座の傾斜部との間の隙間を埋めていて、外部から便鉢内を目視できないため、外観の見栄えが向上した。
【発明の効果】
【００１５】
本発明による水洗式便器によれば、便器本体に設けた穴部または溝部にベース部の機能部を収納した突出部を嵌合させるために組立が容易である上に、便器本体の後部に設置する製品の高さを低くすることができてコンパクトに製造することができる。
【図面の簡単な説明】
【００１６】
【図１】本発明の実施形態による水洗式便器の要部斜視図である。
【図２】図１に示す便器本体と便座ユニットの分解斜視図である。
【図３】便器本体の斜視図である。
【図４】便器本体の上面後部を示す部分拡大斜視図である。
【図５】ベースプレートを含む便座ユニットを下方から見た斜視図である。
【図６】ベースプレートに設けた前側爪部と凹部に設けた前側受け部の係合状態を示す要部縦断面図である。
【図７】後側受け部の爪受け部と後側スライド爪部の係合状態を示す斜視図である。
【図８】後側受け部の爪受け部と後側スライド爪部の係合状態を示すもので、（ａ）は正面図、（ｂ）は下方から見た斜視図である。
【図９】便器本体の後側受け部とその下方の通水部を示す要部縦断面図である。
【図１０】便座本体の上面に設置した便座とベースプレートとカバーの配置を示す要部説明図である。
【発明を実施するための形態】
【００１７】
以下、本発明の実施形態による水洗式便器を添付図面によって説明する。
図１乃至図１０は本発明の実施形態による水洗式便器１を示すものである。本明細書において、水洗式便器１を取り付けるトイレ空間の壁面側または背面側を後部、後方といい、これと反対側（人が小便をする際に立つ方）を前部、前方という。
図１及び図２に示す実施形態による水洗式便器１は、陶器製の便器本体２の上面後部に機能部３とベースプレート１３を収納したカバー４が設置され、カバー４の前方側に便座５と便蓋カバー６が設置されている。機能部３を設置したベースプレート１３とカバー４と便座５と便蓋カバー６を便座ユニット７という。
図２及び図３において、便器本体２の前方側には便鉢８が設置され、その後方上面に略半円状の凹部９が形成され、その周縁部に凹部９を仕切る略円弧状の突堤部９ａが突出して形成されている。便器本体２の突堤部９ａの後方は壁面等に固定する平坦な背面とされている。便鉢８と後述の第一穴部１１、第二穴部１２の間の凹部９は便鉢８の上面より低い領域に形成されている。
【００１８】
図３及び図４において、便器本体２の凹部９内には下方に開口する例えば２つの穴部が第一穴部１１、第二穴部１２として並列に形成されている。第一穴１１は略３辺の稜線１１ａ、１１ｂ、１１ｃによって仕切られた略１／４円弧状の穴部である。第二穴１２も略３辺の稜線１２ａ、１２ｂ、１２ｃによって仕切られた略１／４円弧状の穴部である。
凹部９において、第一穴部１１，第二穴部１２の前方にはベース部としてのベースプレート１３を固定するための前側受け部１５、１６が離間して設置されている。ベースプレート１３は凹部９内に納まるように形成されていることが好ましい。
前側受け部１５、１６は例えば略四角筒の有底筒状に形成され、前側に係止開口１５ａ、１６ａがそれぞれ形成されている。図３に示す例では、前側受け部１５と前側受け部１６の位置が前後方向に少しずれている。
【００１９】
各前側受け部１５，１６の底部には反転ナット１７がねじ込まれて、凹部９にそれぞれ固定されている。即ち、反転ナット１７は前側受け部１５，１６の底部と便器本体２の貫通孔を挿通し、ビスを反転ナット本体に差し込むことでナットが便器本体２の裏面に突出してビスとの間で挟み込んでねじ固定できる。
凹部９の後方側で第一穴部１１，第二穴部１２の間には後側受け部１８が形成されている。後側受け部１８は断面略Ｌ字状に形成され、その平坦部１８ａが反転ナット１７で前側受け部１５，１６と同様に便器本体２の裏面との間で固定されている。後側受け部１８の起立部１８ｂには後部方向に向けて爪受け部１９が突出して形成されている。爪受け部１９の上面にはテーパ部１９ａが形成されている。
【００２０】
次に図５は便座５と便蓋カバー６とベースプレート１３とカバー４を備えた便座ユニット７を示す斜視図である。ベースプレート１３上には図示しない洗浄ノズルやヒータや電装部品等の機能部３が設置されており、便鉢８に臨む面にシャッタ２１が取り付けられている。ベースプレート１３の下面には第一穴部１１に嵌合可能な第一突出部２２と第二穴部１２に嵌合可能な第二突出部２３がそれぞれ下方に突出して形成されている。第一突出部２２と第二突出部２３は略有底筒状に形成されており、その内部には機能部３の一部をなす適宜の電装部品等が収納されている。
そのため、凹部９内にベースプレート１３を嵌合させて設置し、第一突出部２２と第二突出部２３を凹部９の第一穴部１１と第二穴部１２内に嵌合した状態で、残りの機能部品はベースプレート１３の上面に設置されるが、その高さは従来の機能部よりも低く設置できる。
【００２１】
また、便座ユニット７において、ベースプレート１３の下面で第一突出部２２と第二突出部２３の前方には前側爪部２４、２５が形成されている。前側爪部２４、２５は、図６に示すように、弾性変形可能な断面略Ｌ字状で便器本体２の前側受け部１５，１６の係止開口１５ａ、１６ａにそれぞれ係合可能である。
図７及び図８において、凹部９の後方の突堤部９ａ近傍に設けた後側受け部１８にはベースプレート１３に設けた後側スライド爪部２７がスライド可能に設置されている。後側スライド爪部２７は突堤部９ａに沿って略円弧状に延びる爪部本体２７ａの中間部に爪受け部１９に係合可能な爪部２７ｂが略直角に突出して形成されている。爪部本体２７ａの一方の端部には例えば階段状の操作部２７ｃが形成され、他方の端部には弾性部材として例えばコイルばね２８が圧縮状態で他端の当接面２９との間に保持されている。また、爪部本体２７ａの下面には後側スライド爪部２７のスライド移動を規制するための係止片２７ｄが形成されている。
【００２２】
そのため、ベースプレート１３を下方に押し下げて後側スライド爪部２７の爪部２７ｂを後側受け部１８の爪受け部１９のテーパ部１９ａに沿って右方にスライドさせ、コイルばね２８を圧縮させて後側スライド爪部２７を右方に移動させて上方から下方に乗り越える。すると、コイルばね２８の付勢力で後側スライド爪部２７が左方に移動して爪部２７ｂが爪受け部１９の下側で係合し、係止片２７ｄは凹部９の係止部３０に当接して係止する。
また、後側スライド爪部２７を外すには、ベースプレート１３を持ち上げながら指で操作部２７ｃを右方にスライドさせて爪部２７ｂが爪受け部１９を乗り越えることで係止を解除できる。
【００２３】
図９において、便器本体２は凹部９における後側受け部１８の下方に便鉢８内を洗浄するための水をリムに供給する通水部３３が設置され、管路３４を通して洗浄水が便鉢８内に流入するようになっている。
図１０は便器本体２の上面前方に設置した便座５とその後方に設置したカバー４とを示すものである。凹部９の上部に設置された機能部３を有するベースプレート１３は前方側に延びる両側の前側先端部１３ａが凹部９の突堤部９ａの前側に位置している。その上部に設置されるカバー４には便座５の回転軸部３６が左右に突出して形成され、回転軸部３６を中心に便座５が上下方向に回動可能とされている。
カバー４の後端側の側面４ａは略円筒状に形成されており、凹部９の略円弧状の突堤部９ａに沿って突堤部９ａを囲うように配設されて、側面４ａで突堤部９ａを覆っている。カバー４を突堤部９ａに対して若干持ち上げると隙間が形成され、この隙間を通して指を挿入して後側スライド爪部２７の操作部２７ｃをスライド操作することで、爪受け部１９と後側スライド爪部２７を離脱できる。
【００２４】
便座５は側面視で回転軸部３６から便鉢８の上面８ａに向けて下方に傾斜する傾斜部５ａとその前方に形成されていて便鉢８の上面８ａに沿って略円弧状に形成された着座部５ｂとを有している。
従来のカバー４はベースプレート１３の前側先端部１３ａまでしか延びておらず、ベースプレート１３の前側先端部１３ａがカバー４の前端位置に設けられていた。そのため、便座５の傾斜部５ａと便鉢８の上面８ａとの間にはベースプレート１３を覆うカバー４の側部先端との間に小さな隙間ｋが形成され、この隙間ｋを通して便鉢８の内部を目視可能であった。
これに対し、本実施形態による水洗式便器１では、カバー４の前方側の両側部先端４ｂがこの隙間ｋを埋めるようにベースプレート１３の前側先端部１３ａより前方に延びて薄いテーパ状に形成されている。そのため、隙間ｋから便鉢８の内部が外部から目視されることを防止できる。
【００２５】
本実施形態による水洗式便器１は上述した構成を備えており、次に便器本体２に対するベースプレート１３とカバー４と便座５を備えた便座ユニット７の着脱方法について説明する。
図２、図３及び図５に示すように、便器本体２に機能部３を備えたベースプレート１３を設置する場合、ベースプレート１３の下面に設けた第一突出部２２と第二突出部２３を便器本体２の凹部９に形成した第一穴部１１と第二穴部１２に位置合わせして途中まで挿入する。なお、図２及び図５では便座ユニット７が示されているが、ベースプレート１３だけを取り付けるものとする。
【００２６】
そして、ベースプレート１３を前方に傾けて、下面に設けた前側爪部２４、２５を前側受け部１５，１６内を通して係止開口１５ａ、１６ａにそれぞれ係合させた後に、ベースプレート１３の後部を下方に回動させる。すると、凹部９の後端側に設けた後側受け部１８の爪受け部１９のテーパ部１９ａに後側スライド爪部２７の爪部２７ｂが当接する。
更にベースプレート１３の後部を降下させると爪受け部１９のテーパ部１９ａにガイドされて後側スライド爪部２７が図７で右方向にスライドしてコイルばね２８を圧縮し、爪部２７ｂが爪受け部１９を乗り越えてその下面側に至るとコイルばね２８の付勢力で爪部２７ｂが爪受け部１９の下面に移動して係合状態になる。
【００２７】
これによって、ベースプレート１３の下面に設けた第一突出部２２と第二突出部２３が凹部９の第一穴部１１と第二穴部１２内に嵌合する。また、ベースプレート１３の前側爪部２４，２５と後側スライド爪部２７は凹部９の前側受け部１５，１６の係止開口１５ａ、１６ａ、爪受け部１９の３カ所で堅固に係合される。しかも、凹部９の前側受け部１５，１６及び爪受け部１９と前側爪部２４，２５及び後側スライド爪部２７の各３点は略半円状の突堤部９ａ近傍に位置する略三角形の各頂点に位置するため、ベースプレート１３を堅固に固定する。
そして、その上にカバー４と便座５を設置し、便座５上に便蓋カバー６を設置することができる。なお、ベースプレート１３を便器本体２の凹部９から取り外す場合には上述の手順と逆の手順で取り外し操作をすればよい。或いは便座ユニット７をまとめて取り外すことができる。
【００２８】
上述のように本実施形態による水洗式便器１によれば、便器本体２の凹部９に形成した第一及び第二穴部１１，１２にベースプレート１３の下面に設けていて機能部３を収納した第一及び第二突出部２２，２３を嵌合したため、水洗式便器１の高さを低くできて圧迫感がなくコンパクトに形成できる。
しかも、ベースプレート１３は便器本体２の後部上面に形成した凹部９内に設置したため、この点でも水洗式便器１の高さを低くできる。また、後側受け部１８の下方に便鉢８内の洗浄用の水を供給する通水部３３を設けたため、この点でも便器本体２の高さを抑えてコンパクトにできる。
【００２９】
また、凹部９に対するベースプレート１３の固定に際し、ベースプレート１３を下方に押し下げて、平面視で略三角形の頂点位置に設置した前側受け部１５，１６と後側受け部１８に前側爪部２４，２５と後側スライド爪部２７を固定できるため、組み立てが容易で固定状態での前後左右のガタツキを防止できる。
しかも、凹部９に対するベースプレート１３の装着に際しては、前側受け部１５，１６に前側爪部２４，２５を係止させて後部を押し下げることで後側受け部１８の爪受け部１９に後側スライド爪部２７を固定でき、離脱させるにはカバー４の後方の側面４ａを持ち上げて後側スライド爪部２７の操作部２７ｃをスライドすることで取り外し可能であるため、上下方向の着脱操作が容易である。
更に前側受け部１５，１６と後側受け部１８をベースプレート１３を介して陶器製の便器本体２の底面に固定するために反転ナット１７を用いたため、上面側からボルト操作するだけで固定することができる。そのため、狭いトイレ空間での修理や交換作業等に際し、反転ナット１７の着脱操作が容易である。
【００３０】
本実施形態の水洗式便器１において、ベースプレート１３に第一及び第二突出部２２，２３を設けたため便座ユニット７のスライド移動による着脱はできないが、凹部９の略円弧状の突堤部９ａに合致してこれを囲うように機能部３を覆う円筒状の側面４ａを有するカバー４を設置したため、意匠性が向上する。
更に、ベースプレート１３の前側先端部１３ａと便座５の傾斜部５ａとの隙間ｋを埋めるようにベースプレート１３を覆うカバー４の側部先端４ｂを傾斜部５ａの下面に沿ってテーパ状に延ばしたため、隙間ｋを封止して外側から便鉢８内を目視できないのでこの点でも外観の見栄えが良く意匠性が向上する。
【００３１】
なお、本発明による水洗式便器１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３２】
例えば、上述した実施形態では便器本体２の後部上面に下方に開口する第一及び第二穴部１１、１２を形成したが、穴部の下端に底部を有する溝部を形成してもよい。また、便器本体２とベースプレート１３に設けた第一及び第二穴部１１、１２と第一及び第二突出部２２，２３を２つ設けたが、穴部とこれに嵌合する突出部は２つに限定されるものではなく、１つでもよく、或いは３つ以上でもよい。
また、第一及び第二突出部２２，２３に収納する機能部３はその一部部品に限定されることなく全部を収納してもよい。この場合には便座５の背面側のカバー４の高さは一層低くなり意匠性と見栄えを向上できる。
また、ベースプレート１３は便器本体２の後部上面に形成した凹部９内に設置するものとしたが、必ずしも凹部９を設置することなく従来技術のように便器本体２の後部上面を平坦面に形成してもよい。
【００３３】
また、上述した実施形態では凹部９に受け部として前側受け部１５，１６、後側受け部１８及び爪受け部１９を設け、ベースプレート１３の下面に係合部として前側爪部２４，２５、後側スライド爪部２７を設けたが、これとは逆に凹部９に前側爪部２４，２５、後側スライド爪部２７を設け、ベースプレート１３に前側受け部１５，１６、後側受け部１８及び爪受け部１９を設けてもよい。また、凹部９の前側に前側受け部１５を１つ設け、後側に他の前側受け部１６と後側受け部１８を設けてもよい。
なお、本実施形態において、前側受け部１５，１６は第一の受け部であり、後側受け部１８及び爪受け部１９が第二の受け部であり、前側爪部２４，２５は第一の係合部、後側スライド爪部２７が第二の係合部である。
また、これら受け部と係合部は平面視で略三角形の各頂点にそれぞれ３点設けたが、これに代えて２点、または略四角形の各頂点に４点またはそれ以上設けて構成してもよく、この場合にはベースプレート１３の保持強度を一層高くできる。
【符号の説明】
【００３４】
１  水洗式便器
２  便器本体
４  カバー
４ｂ  側部先端
５  便座
５ａ  傾斜部
９  凹部
９ａ  突堤部
１１  第一穴部
１２  第二穴部
１３  ベースプレート
１５、１６  前側受け部
１７  反転ナット
１８  後側受け部
１９  爪受け部
２２  第一突出部
２３  第二突出部
２４、２５  前側爪部
２７  後側スライド爪部
２７ｂ  爪部
２８  コイルばね
３３  通水部
【図１】
0006633396.tif 000002
【図２】
0006633396.tif 000003
【図３】
0006633396.tif 000004
【図４】
0006633396.tif 000005
【図５】
0006633396.tif 000006
【図６】
0006633396.tif 000007
【図７】
0006633396.tif 000008
【図８】
0006633396.tif 000009
【図９】
0006633396.tif 000010
【図１０】
0006633396.tif 000011